(57)【要約】【課題】ブレ補正を行う光学部品をロックするロック機構を有するブレ補正装置およびこれを搭載した光学機器を提供する。【解決手段】像ブレ補正を行う光学部品１２を保持し、移動可能な保持部材１４と、前記像ブレ補正の非作動時に前記保持部材１４をロックするロック部材１６と、前記ロック部材１６に備えられた位置検出用パターン６０〜６３を付勢し、前記ロック部材１６の移動に伴って前記位置検出用パターン６０〜６３の上を摺動する導電性の接触端子８０と、前記接触端子８０と電気的に接続され、前記位置検出用パターン６０〜６３に対する前記接触端子８０の相対的位置に基づいて、前記保持部材１４に対する前記ロック部材１６の相対的位置を検出する検出回路とを含む像ブレ補正装置。【選択図】図３
2009116033.tif 000002
【特許請求の範囲】
【請求項１】
像ブレ補正を行う光学部品を保持し、移動可能な保持部材と、
前記像ブレ補正の非作動時に前記保持部材をロックするロック部材と、
前記ロック部材に備えられた位置検出用パターンを付勢し、前記ロック部材の移動に伴って前記位置検出用パターンの上を摺動する導電性の接触端子と、
前記接触端子と電気的に接続され、前記位置検出用パターンに対する前記接触端子の相対的位置に基づいて、前記保持部材に対する前記ロック部材の相対的位置を検出する検出回路とを含むことを特徴とするブレ補正装置。
【請求項２】
像ブレ補正を行う光学部品を保持し、移動可能な保持部材と、
前記像ブレ補正の非作動時に前記保持部材をロックするロック部材と、
前記ロック部材に対して相対移動範囲内で相対的に移動が可能な接触端子とを有し、
前記ロック部材は、
前記保持部材をロックまたはアンロック可能に当該ロック部材を移動させるための駆動部と、
前記ロック部材に備えられ、前記接触端子と摺動しながら導通することができ、位置を検出するための位置検出用パターンとを含むことを特徴とするブレ補正装置。
【請求項３】
請求項１又は請求項２に記載されたブレ補正装置であって、
前記光学部品は、像ブレを補正するための光学系であることを特徴とするブレ補正装置。
【請求項４】
請求項１から請求項３までの何れか１項に記載されたブレ補正装置であって、
前記ロック部材は、前記保持部材に対して相対的に回転移動することにより前記保持部材と係合し、
前記位置検出用パターンは、前記ロック部材の回転軸周りの側面に備えられていることを特徴とするブレ補正装置。
【請求項５】
請求項４に記載されたブレ補正装置であって、
前記接触端子は、前記ロック部材の一方側の回転方向に沿って備えられた第１の接触部と、前記ロック部材の他方側の回転方向に沿って備えられた第２の接触部とを有することを特徴とするブレ補正装置。
【請求項６】
請求項５に記載されたブレ補正装置であって、
前記第１の接触部と前記第２の接触部とは対称形状であることを特徴とするブレ補正装置。
【請求項７】
請求項１から請求項６までの何れか１項に記載されたブレ補正装置であって、
前記ロック部材には、前記接触端子に付勢され、前記保持部材に対する前記ロック部材の移動に必要な電力が供給される電力供給用パターンが備えられていることを特徴とするブレ補正装置。
【請求項８】
請求項７に記載されたブレ補正装置であって、
前記接触端子は、前記位置検出用配線パターンと前記電力供給用パターンとに、オーバーラップして接触することができることを特徴とするブレ補正装置。
【請求項９】
請求項７または請求項８に記載されたブレ補正装置であって、
前記接触端子は、前記電力供給用配線パターンと常時導通していることを特徴とするブレ補正装置。
【請求項１０】
請求項７から請求項９までの何れか１項に記載されたブレ補正装置であって、
前記電力供給用配線パターンは、前記相対移動範囲に沿って形成されており、
前記位置検出用配線パターンは、前記相対移動範囲の一方の端部に形成された第１位置検出部と、前記相対移動範囲の他方の端部に形成された第２位置検出部とを有することを特徴とするブレ補正装置。
【請求項１１】
請求項１〜１０のいずれかに記載のブレ補正装置を含む光学機器。
【発明の詳細な説明】
【技術分野】
【０００１】
本発明は、ロック機構を備えたブレ補正装置および光学機器に関する。
【背景技術】
【０００２】
カメラなどの光学装置において、撮影者のいわゆる“手ブレ”等、撮影機材に加わる振動に起因する撮影の失敗を防止することを目的とする装置が数多く提案されている。
【０００３】
このような従来技術のなかには、ブレ補正の非作動時において、補正レンズを光軸に対して固定するためのロック機構が備えられているものがある。ロック機構としては、例えば光軸を中心として、所定角度回動することによって、ロック機構の内周面に補正レンズを固定するリング状のロックリングが知られている。
【０００４】
この際、レンズ鏡筒の鏡胴に対する回動部であるロックリングと、非回動部であるブレ補正装置基部とをつなぐ配線に関する従来技術としては、例えば、ＦＰＣ（Flexible Printed Circuits）等によって、ロックリングとハード基板を引き回すものが知られている（たとえば特許文献１等参照）。
【特許文献１】特開平１０−２６７８２号公報
【発明の開示】
【発明が解決しようとする課題】
【０００５】
本発明の目的は、ブレ補正を行う光学部品をロックするロック機構を有するブレ補正装置およびこれを搭載した光学機器を提供することである。
【課題を解決するための手段】
【０００６】
上記課題を解決するために、本発明に係るブレ補正装置（１０）は、例えば、
像ブレ補正を行う光学部品（１２）を保持し、移動可能な保持部材（１４）と、
前記像ブレ補正の非作動時に前記保持部材（１４）をロックするロック部材（１６）と、
前記ロック部材（１６）に備えられた位置検出用パターン（６０〜６３）を付勢し、前記ロック部材（１６）の移動に伴って前記位置検出用パターン（６０〜６３）の上を摺動する導電性の接触端子（８０）と、
前記接触端子（８０）と電気的に接続され、前記位置検出用パターン（６０〜６３）に対する前記接触端子（８０）の相対的位置に基づいて、前記保持部材（１４）に対する前記ロック部材（１６）の相対的位置を検出する検出回路とを含むことを特徴とする。
【０００７】
また、例えば、本発明に係るブレ補正装置（１０）は、
像ブレ補正を行う光学部品（１２）を保持し、移動可能な保持部材（１４）と、
前記像ブレ補正の非作動時に前記保持部材（１４）をロックするロック部材（１６）と、
前記ロック部材（１６）に対して相対移動範囲内で相対的に移動が可能な接触端子（８０）とを有し、
前記ロック部材（１６）は、
前記保持部材（１４）をロックまたはアンロック可能に当該ロック部材（１６）を移動させるための駆動部（４２）と、
前記ロック部材（１６）に備えられ、前記接触端子（８０）と摺動しながら導通することができ、位置を検出するための位置検出用パターン（６０〜６３）とを含んでいても良い。
【０００８】
また、例えば、前記光学部品（１２）は、像ブレを補正するための光学系であってもよい。
【０００９】
また、例えば、前記ロック部材（１６）は、前記保持部材（１４）に対して相対的に回転移動することにより前記保持部材（１４）と係合し、
前記位置検出用パターン（６０〜６３）は、前記ロック部材（１６）の回転軸周りの側面に備えられていてもよい。
【００１０】
また、例えば、前記接触端子（８０）は、前記ロック部材（１６）の一方側の回転方向に沿って備えられた第１の接触部と、前記ロック部材の他方側の回転方向に沿って備えられた第２の接触部とを有していてもよい。
【００１１】
また、例えば、前記第１の接触部と前記第２の接触部とは対称形状であってもよい。
【００１２】
また、例えば、前記ロック部材（１６）には、前記接触端子（８０）に付勢され、前記保持部材（１４）に対する前記ロック部材（１６）の移動に必要な電力が供給される電力供給用パターン（５８，５９）が備えられていてもよい。
【００１３】
また、例えば、前記接触端子（８０）は、前記位置検出用配線パターン（６０〜６３）と前記電力供給用パターン（５８，５９）とに、オーバーラップして接触することができるものであってもよい。
【００１４】
また、例えば、前記接触端子は、前記電力供給用配線パターン（５８，５９）と常時導通していてもよい。
【００１５】
また、例えば、前記電力供給用配線パターン（５８，５９）は、前記相対移動範囲に沿って形成されており、
前記位置検出用配線パターン（６０〜６３）は、前記相対移動範囲の一方の端部に形成された第１位置検出部（６０ａ，６１ａ）と、前記相対移動範囲の他方の端部に形成された第２位置検出部（６２ａ，６３ａ）とを有していてもよい。
【００１６】
本発明に係る光学機器は、いずれかの上記ブレ補正装置を含む。
【００１７】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１８】
以下、本発明を、図面に示す実施形態に基づき説明する。
図１は、本願発明に係る像ブレ補正装置を搭載したカメラの断面図、
図２は、図１のカメラに搭載された本発明の第１実施形態に係る像ブレ補正装置の拡大断面図、
図３は、図２に示す像ブレ補正装置の光軸方向からの平面図、
図４は、図３の平面図の一部を拡大した要部拡大図、
図５は、本発明の第２実施形態に係る像ブレ補正装置の平面図、
図６は、図５の像ブレ補正装置の要部拡大図である。
第１実施形態
【００１９】
図１に示すように、本発明の一実施形態に係るデジタル一眼レフカメラは、カメラボディ１とレンズ鏡筒２とを有し、カメラボディ１には、レンズ鏡筒２が着脱可能に取り付けてある。レンズ鏡筒２の鏡胴３内部には、図示省略してある焦点調整レンズ等の他のレンズ群とともに、像ブレ補正装置１０が配置されている。
【００２０】
像ブレ補正装置１０は、鏡筒内の他のレンズ群と同様に、光軸Ｉに対して略垂直に配置されており、鏡筒２内部に入射した被写体光は、像ブレ補正装置１０等を透過し、カメラボディ１の筐体４内に設置された撮像素子６に導かれる。
【００２１】
なお、本実施形態では、像ブレ補正装置１０を一眼レフカメラに適用した例によって説明を行うが、本発明の像ブレ補正装置１０を備える光学機器としてはこれに限られず、コンパクトカメラやビデオカメラ等の他の光学機器であってもよい。
【００２２】
また、本願において光軸Ｉとは、レンズ鏡筒２の鏡胴３内部に設置され、被写体光を撮像素子６に導く一連のレンズ群が共有している光軸を意味する。ただし、像ブレ補正装置１０に備えられるブレ補正レンズ群１２の光軸は、前記光軸Ｉに対して移動することができる。各図面では、光軸Ｉと平行な方向をＺ軸方向、光軸Ｉと直交する方向のうちカメラの上下方向をＹ軸方向、Ｚ軸方向およびＹ軸方向と直交する方向をＸ軸方向として説明を行う。
【００２３】
図２は、レンズ鏡筒２の鏡胴３内部に配置された像ブレ補正装置を拡大して示したものであり、本発明の第１実施形態に係る像ブレ補正装置１０の拡大断面図である。本実施形態に係る像ブレ補正装置１０は、ブレ補正レンズ群１２と、当該ブレ補正レンズ群１２を保持するレンズ保持枠１４と、ロックリング１６と、ベース部１８とからなる。像ブレ補正装置１０を構成する各部材は、図２に示すように、光軸Ｉに対して略垂直に配置されている。
【００２４】
ベース部１８は、図１の鏡胴３の内壁面に対して固定されており、像ブレ補正装置１０を構成する他の部材を、接触もしくは非接触で支持している。図２に示すように、ベース部１８は、それぞれが略円環形状である第１ベース部１８ａ，第２ベース部１８ｂおよび第３ベース部１８ｃを有する。これらの各部材は、第１ベース部１８ａ、第２ベース部１８ｂ、第３ベース部１８ｃの順に、被写体光の進行方向に沿って配列されており、第１〜第３ベース部１８ａ，１８ｂ，１８ｃが配置された光軸方向の空間内に、ブレ補正レンズ群１２を保持するレンズ保持枠１４と、ロックリング１６が収納されている。
ブレ補正レンズ群およびレンズ保持枠
【００２５】
第３ベース部１８ｃには、像ブレ補正用ボイスコイルモータを構成する第１マグネット２２および第１ヨーク２４が備えられている。第２ベース部１８ｂには、第３ベース部１８ｃの前記マグネット２２に対して、レンズ保持枠１４に備えられたブレ補正用コイル４０を光軸方向に挟んで、第２ヨーク２６が配置されている。このように、第３ベース部１８ｃに配置された第１マグネット２２および第１ヨーク２４と、第２ベース部１８ｂに配置された第２ヨーク２６は、レンズ保持枠１４に備えられたブレ補正用コイル４０の周りに磁場を形成している。
【００２６】
本実施形態の像ブレ補正装置１０は、ブレ補正用コイル４０に流れる電流を、鏡胴３内に設置された振動センサ（不図示）からの信号に応じて変化させることができる。ブレ補正用コイル４０に流れる電流を制御することによって、当該像ブレ補正装置１０は、形成された磁場との間に発生する任意の大きさのローレンツ力を、ブレ補正用コイル４０に作用させることができる。これによって、ブレ補正用コイル４０、マグネット２２およびヨーク２４，２６によって構成される像ブレ補正用ボイスコイルモータは、レンズ保持枠１４およびブレ補正レンズ群１２を、光軸Ｉに対して略垂直な平面に沿ってＹ方向に移動させることができる。
【００２７】
また、本実施形態に係る像ブレ補正装置１０は、ブレ補正レンズ群１２を、光軸Ｉに対して略垂直な平面に沿ってＸ方向に移動させるための他の像ブレ補正用ボイスコイルモータをさらに備えている。したがって、ブレ補正レンズ群１２は、振動センサからの信号に応じて、光軸Ｉに対して略垂直な平面内を、任意の方向に動くことができる。
【００２８】
図３は、光軸Ｉ方向から見た像ブレ補正装置１０の平面図である。なお、第１ベース部１８ａは省略してある。図３に示すように、ブレ補正レンズ群１２は、不図示の振動センサが振動を検知していない状態では、ロックリング１６および第２ベース部１８ｂに対して、中心が略一致するように、レンズ保持枠１４によって保持されている。
【００２９】
レンズ保持枠１４は、その内周面によってブレ補正レンズ群１２を保持できるように、略円形のリング形状を有している。レンズ保持枠１４の外周側面上には、略半円形状のＸＹ断面を有し、外径方向に突出している突起部４６が形成されている。突起部４６は、図２に示すように、レンズ保持枠１４の外周側面上であって、ロックリング１６の内周面に対向する位置に配置されている。図３に示すように、本実施形態においては、８つの突起部４６が、略４５度の間隔で、レンズ保持枠１４の外周側面上に形成されている。突起部４６の先端部付近における外周側面は、ロックリング１６の内周面との係合を確実なものにするため、弾性部材等によって覆われていてもよい。
ロックリング
【００３０】
ロックリング１６は、図３に示すように、外周側面の一部から外径側に張り出して形成されているコイル固定部５２、回動規制部５４およびラッチ係合部５５とを有する。
【００３１】
回動規制部５４は、図３に示すように、第２ベース部１８ｂに備えられたロック側制限あてゴム３８ｂ，およびアンロック側制限あてゴム３８ａに接触することによって、ロックリング１６の回動範囲を規制している。また、ラッチ係合部５５は、第２ベース部１８ｂに備えられたラッチバネ６４によって、外周側面側から付勢されている。ラッチバネ６４は、回動用コイル４２等によって構成される回動用ボイスコイルモータからの駆動力ではなく、鏡筒２に与えられた衝撃等の意図しない力によって、ロックリング１６が移動することを防止している。
【００３２】
コイル固定部５２には、ロックリング１６を回動させる回動用ボイスコイルモータの一部を構成する回動用コイル４２が取り付けられている。
【００３３】
ロックリング１６は、図３に示すように、第２ベース部１８ｂに形成された複数のガイド用突起５６の内周面に、ロックリング１６の外周側面のうち、コイル固定部５２等が形成されていない部分の外周側面が収まるように取り付けられる。このように、ロックリング１６は、外周側面を、第２ベース部１８ｂのガイド用突起５６の内周面によって保持されている。さらに、第２ベース部１８ｂに対して、ロックリング１６を挟むように、図２に示す第１ベース部１８ａが取り付けられている。したがって、図２に示すように、ロックリング１６は、回転軸に略垂直な両側面を、第１ベース部１８ａと第２ベース部１８ｂとに挟まれた状態で保持されている。
【００３４】
図２の断面図に示すように、第１ベース部１８ａには、回動用ボイスコイルモータを構成する第３マグネット２８および第３ヨーク３０が備えられている。第２ベース部１８ｂには、第３ベース部１８ｃのマグネット２８に対して、ロックリング１６に備えられた回動用コイル４２を挟んで、第４マグネット３２および第４ヨーク３４が配置されている。このように、第１ベース部１８ａに配置された第３マグネット２８および第３ヨーク３０と、第２ベース部１８ｂに配置された第４マグネット３２および第４ヨーク３４は、ロックリング１６に備えられた回動用コイル４２の周りに磁場を形成している。
【００３５】
図３に示すように、ロックリング１６の内周面には、レンズ保持枠１４の突起部４６と係合してレンズ保持枠１４を固定できるように、内径側に突出した凸部４４が形成されている。
【００３６】
図４の拡大図に示すように、ロックリング１６の凸部４４の第１内周面４４ａと、ロックリング１６のリング中心との距離であるロックリング小半径ｒ１は、レンズ保持枠１４の突起部４６の頂点と、レンズ保持枠１４の中心との距離である保持枠半径ｒ２と略同一である。なお、ロックリング１６の回転中心は、光軸Ｉと略一致している。
【００３７】
それに対して、凸部４４が形成されていない第２内周面４５と、ロックリング１６のリング中心との距離であるロックリング大半径ｒ３は、レンズ保持枠１４の保持枠半径ｒ２より大きい。すなわち、ロックリング大半径ｒ３と保持枠半径ｒ２との間に形成されたギャップが、ブレ補正レンズ群１２の光軸ｘを光軸Ｉに対して移動させられる最大量を規定している。
回路基板
【００３８】
ロックリング１６には、回動用コイル４２への配線およびロックリング１６の位置検出を行うための回路基板５７が固定されている。回路基板５７としては、特に限定されないが、ＦＰＣを用いることが好ましい。回路基板５７は、ロックリング１６の回転軸周りの側面であって、光軸に垂直な側面（本実施形態では第１ベース部１８ａ側の側面）に固定されている。また、回路基板５７は、コイル固定部５２付近からラッチ係合部５５にかけてのロックリング１６の側面上に設けられている。
【００３９】
回路基板５７には、当該回路基板５７上では互いに絶縁されている第１〜第６配線パターンが形成されている。第１配線パターン５８は、回動用コイル４２に近接している当該パターン５８の端部において、回動用コイル４２の一方のコイル端部４２ａと接続されている。第２配線パターン５９も、回動用コイル４２に近接している当該パターン５９の端部において、回動用コイル４２の他方のコイル端部４２ｂと接続されている。第１配線パターン５８および第２配線パターン５９は、コイル固定部５２からラッチ係合部５５まで、互いに略平行に形成されており、後述のように回動用コイル４２へ電流を流すための配線を構成している。
【００４０】
第１ベース部１８ａには、ロックリング１６の回路基板５７を、光軸Ｉ方向に付勢する摺動端子８０が備えられている。摺動端子８０は、第１配線パターン５８と接触している第１先端部８０ａと、第２配線パターン５９と接触している第２先端部８０ｂとを有する。摺動端子８０の先端部８０ａ，８０ｂは、不図示の中継回路基板５７を介して、鏡胴３内に設けられたメイン基板（不図示）に対して電気的に接続されている。メイン基板（不図示）にはレンズ制御部が備えられており、当該レンズ制御部は、回動用コイル４２に流れる電流の大きさおよび方向を制御することができる。このように、本実施形態に係る摺動端子８０の先端部８０ａ，８０ｂは、各配線パターン５８，５９等を介して、回動用コイル４２に電圧を印加する一対の電極を構成している。
【００４１】
図３に示す状態で、ロックリング１６は、レンズ保持枠１４をロックしていないアンロック位置にある。この状態では、摺動端子８０の第１先端部８０ａは、回路基板５７上の位置Ｐ１において、第１配線パターン５８と第３配線パターン６０の両方と接触し、導通している。また、摺動端子８０の第２先端部８０ｂは、回路基板５７上の位置Ｐ３において、当該第２配線パターン５９と第４配線パターン６１の両方と接触し、導通している。
【００４２】
ロックリング１６がアンロック位置からロック位置に回動するのに伴って、摺動端子８０の第１先端部８０ａは、ロックリング上の位置Ｐ１から位置Ｐ３へと移動する。この際、第１先端部８０ａは、図４に示すように、第１配線パターン５８との接触を保ちながら、回路基板５７上の範囲Ｅ１内を摺動する。また、摺動端子８０の第２先端部８０ｂは、ロックリング１６上の位置Ｐ２から位置Ｐ４へと移動する。この際、第２先端部８０ｂは、第２配線パターン５９との接触を保ちながら、回路基板５７上の範囲Ｅ２内を摺動する。
【００４３】
各先端部８０ａ，８０ｂは、ロックリング１６がアンロック位置にある状態、ロック位置にある状態、および両位置の間を移動している状態のすべての状態において、対応する各配線パターン５８，５９と導通している。したがって本実施形態の像ブレ補正装置１０は、ロックリング１６が何れの位置にあっても、回動用コイル４２に所定の大きさおよび方向の電流を流して、ロックリング１６を回動させることができる。
【００４４】
また、ロックリング１６のラッチ係合部５５付近では、図４に示すように、第１配線パターン５８と第２配線パターン５９とが、径方向に略一定の間隔を空けて形成されている。径方向に間隔を空けて形成された第１配線パターン５８と第２配線パターン５９との間には、ロックリング１６の位置検出を行うための第３〜第６配線パターンが形成されている。
【００４５】
第３配線パターン６０の端部には、摺動端子８０の第１先端部８０ａと導通するための接点部６０ａが形成されている。摺動端子８０の第１先端部８０ａは、ロックリング１６がレンズ保持枠１４をロックしないアンロック位置にある場合にのみ、接点部６０ａと接触し、第３配線パターン６０と導通する。
【００４６】
第４配線パターン６１の端部にも、摺動端子８０の第２先端部８０ｂと導通するための接点部６１ａが形成されている。摺動端子８０の第２先端部８０ｂは、ロックリング１６がレンズ保持枠１４をロックしないアンロック位置にある場合にのみ、接点部６１ａと接触し、第４配線パターン６１と導通する。第３配線パターン６０および第４配線パターン６１は、中継回路もしくは摺動端子等の適切な配線手段によって、メイン基板（不図示）に備えられた不図示の第１電流検出器に接続されている。したがって、ロックリング１６がアンロック位置にある場合には、摺動端子８０と、第３および第４配線パターン６０，６１と、第１電流検出器を含む閉回路が形成され、当該閉回路中の第１電流検出器によって電流が検出される。このようにして、本実施形態に係る像ブレ補正装置１０は、ロックリング１６がアンロック位置にあることを検出することができる。
【００４７】
第５配線パターン６２および第６配線パターン６３も、第３配線パターン６０および第４配線パターン６１と同様に、摺動端子８０の各先端部８０ａ，８０ｂと接触するための接点部６２ａ，６３ａを有している。ただし、第５配線パターン６２の接点部６２ａと第６配線パターン６３の接点部６３ａは、ロックリング１６がレンズ保持枠１４をロックするロック位置にある場合のみ、摺動端子８０の第１先端部８０ａと第２先端部８０ｂに、それぞれ接触して導通するように配置されている。
【００４８】
第５配線パターン６２および第６配線パターン６３は、中継回路もしくは摺動端子等の適切な配線手段によって、メイン基板（不図示）に備えられた不図示の第２電流検出器に接続されている。したがって、ロックリング１６がロック位置にある場合には、摺動端子８０と、第５および第６配線パターン６２，６３と、第２電流検出器とによって閉回路が形成され、当該閉回路中の第２電流検出器によって電流が検出される。このようにして、本実施形態に係る像ブレ補正装置１０は、ロックリング１６がロック位置にあることを検出することができる。
【００４９】
なお、本実施形態では、アンロック位置を検出する配線パターンと、ロック位置を検出する配線パターンが独立に形成されているため、検出される電流の方向を判断することなく、電流が所定時間流れたことを検出するだけで、ロックリング１６の位置を検出できる。したがって、本実施形態では、例えば回動用コイル４２の端部４２ａおよび４２ｂが、第１配線パターン５８または第２配線パターン５９のいずれに接続されているかにかかわらず、位置検出を行うことができる。
【００５０】
ただし、本発明の位置検出配線パターンとしては、本実施形態に限定されず、様々な形状を採用することが可能である。例えば、位置検出のための配線パターンを、第３配線パターン６０と第４配線パターン６１のみで構成してもよい。
【００５１】
この場合、各配線パターン６０，６１は、例えばそれぞれ２つの接点部を有している。一方の接点部は、ロックリング１６がアンロック位置にある場合に摺動端子８０の先端部８０ａ，８０ｂと導通し、他方の接点部は、ロックリング１６がロック位置にある場合に摺動端子８０の先端部８０ａ，８０ｂと導通するように構成する。このような構成では、各配線パターン６０，６１と電気的に接続されている第１電流検出器には、ロックリング１６がアンロック位置にある場合と、ロック位置にある場合のいずれにおいても電流が流れる。しかしながら、摺動端子８０の先端部８０ａおよび８０ｂの極性は、ロックリング１６がロック位置からアンロック位置に移動する場合と、アンロック位置からロック位置に移動する場合とでは、反転している。したがって、第１電流検出器に流れる電流の方向を併せて検出することにより、ロックリング１６がいずれの位置にあるかを判断することができる。
【００５２】
また、検出を行う位置としては、アンロック位置とロック位置とに限定されず、例えばアンロック位置とロック位置との中間の所定位置を検出してもよい。この場合、配線パターンの数や接触端子の数を増加させることで、中間の所定位置を検出してもよい。
ロックおよびアンロック動作
【００５３】
図３および図４を用いて、ロックリング１６の動作を説明する。図４に示す状態では、ロックリング１６は、レンズ保持枠１４をアンロック（ロック解除）しているアンロック位置にある。アンロック位置では、レンズ保持枠１４の突起部４６は、ロックリング１６の凸部４４が形成されていない第２内周面４５と対向している。第２内周面４５に対応するロックリング大半径ｒ３は、保持枠半径ｒ２より大きいため、レンズ保持枠１４は、光軸Ｉに略垂直なＸＹ平面を移動し、ブレ補正動作を行うことができる。
【００５４】
ロックリング１６がアンロック位置にある場合、摺動端子８０の第１先端部８０ａは、回路基板５７上の位置Ｐ１において、図４に示す第１配線パターン５８および第３配線パターン６０の接点部６０ａと接触し、導通している。また、摺動端子８０の第２先端部８０ｂは、回路基板５７上の位置Ｐ２において、第２配線パターン５９および第４配線パターン６１の接点部６１ａと接触し、導通している。
【００５５】
ロックリング１６をアンロック位置からロック位置に移動させる時には、メイン基板に備えられたレンズ制御部（不図示）によって、摺動端子８０に所定の電圧が印加される。摺動端子の各先端部８０ａ，８０ｂは、回動用コイル４２に接続されている各配線パターン５８，５９と接触しているので、図３に示すロックリング１６の回動用コイル４２に電流が流れる。
【００５６】
回動用コイル４２に電流が流れると、回動用コイル４２は、ベース部１８ａ，１８ｂに備えられたマグネット２８，３２およびヨーク３０，３４（図２参照）によって形成されている磁場によって、ロックリング１６をロック側（図３では反時計回り）に回動させる力を受ける。このようにして、ロックリング１６は、回動用コイル４２が受けた力によって、アンロック位置からロック位置へ移動を開始する。
【００５７】
ここで、位置Ｐ１およびＰ２にある先端部８０ａ，８０ｂは、回動用コイル４２に配線されてる第１および第２配線パターン５８，５９だけでなく、第１電流検出器に配線されている第３および第４配線パターン６０，６１とも導通している。しかしながら、ロックリング１６が移動を開始する際、回動用コイル４２には、ロックリング１６のラッチ係合部５５とラッチバネ６４との係合を解除して、ロックリング１６を移動させる力を発生させるために十分な電流を流す必要がある。したがって、第３および第４配線パターン６０，６１と第１電流検出器を含む回路の抵抗は、第１および第２配線パターン５８，５９とを回動用コイル４２によって構成される回路の抵抗に対して、十分に高い値に設計することが好ましい。
【００５８】
ロックリング１６がアンロック位置からロック位置に回動するのに伴って、摺動端子８０の第１先端部８０ａは、ロックリング１６上の位置Ｐ１から位置Ｐ３へと移動する。この際、第１先端部８０ａは、図４に示すように、第１配線パターン５８との接触を保ちながら、回路基板５７上の２点鎖線で示された範囲Ｅ１内を摺動する。また、摺動端子８０の第２先端部８０ｂは、ロックリング１６上の位置Ｐ２から位置Ｐ４へと移動する。この際、第２先端部８０ｂは、第２配線パターン５９との接触を保ちながら、回路基板５７上の１点鎖線で示された範囲Ｅ２内を摺動する。なお、本実施形態では、摺動端子８０の先端部８０ａ，８０ｂが、ロックリング１６上の位置Ｐ１と位置Ｐ３との中間位置にある状態では、当該先端部８０ａ，８０ｂは、いずれの位置検出用の配線パターン６０〜６３とも導通していない。
【００５９】
以上のように、回動用コイル４２に所定方向の電流を流すことによって、ロックリング１６は、アンロック位置からロック位置に移動する。ロック位置では、レンズ保持枠１４の突起部４６は、ロックリング１６の凸部４４が形成されている第１内周面４４ａと対向している。第１内周面４４ａに対応するロックリング小半径ｒ１は、保持枠半径ｒ２と略同一であるため、レンズ保持枠１４は、保持するブレ補正レンズ群１２の光軸ｘが光軸Ｉとが略一致する位置にロックされる。
【００６０】
なお、ロックリング１６がレンズ保持枠１４をロックすることによって、ブレ補正用ボイスコイルモータに電流が流れていない状態でも、ブレ補正レンズ群１２の光軸ｘが光軸Ｉとが略一致する位置に、当該ブレ補正レンズ群１２を保持できる。したがって、撮影開始時等に実施される各レンズ群のセンタリング等において、ブレ補正レンズ群１２を移動させる必要がほとんどなく、像の揺らぎ等によって撮影者が感じる不快感を抑制できる。
【００６１】
ロックリング１６がロック位置に移動すると、摺動端子８０の第１先端部８０ａは、回路基板５７上の位置Ｐ３に移動し、第２先端部８０ｂは位置Ｐ４に移動する。位置Ｐ３およびＰ４にある先端部８０ａ，８０ｂは、第１および第２配線パターン５８，５９だけでなく、第２電流検出器に配線されている第５および第６配線パターン６２，６３とも導通する。したがって、第５および第６配線パターン６２，６３を介して第２電流検出器に電流が流れ、ロックリング１６がロック位置に移動したことが検出される。
【００６２】
ロックリング１６をロック位置からアンロック位置に移動させる時は、回動用コイル４２に流す電流の方向を、アンロック位置からロック位置に移動させる時と逆向きにすれば良い。すなわち、摺動端子８０の先端部８０ａ，８０ｂから。第１および第２配線パターン５８，５９に供給される電圧の極性を、アンロック位置からロック位置に移動させる時と反転させることによって、ロックリング１６をアンロック側に回動させることができる。
【００６３】
ロックリング１６をロック位置からアンロック位置に移動させる時にも、回動用コイル４２には、ロックリング１６のラッチ係合部５５とラッチバネ６４との係合を解除して、ロックリング１６を移動させる力を発生させるために十分な電流を流す必要がある。したがって、第５および第６配線パターン６２，６３と第２電流検出器を含む回路の抵抗も、第１および第２配線パターン５８，５９と回動用コイル４２によって構成される回路の抵抗に対して、十分に高い値に設計することが好ましい。
【００６４】
ロックリング１６がロック位置からアンロック位置に移動すると、摺動端子８０の第１先端部８０ｂは、回路基板５７上の位置Ｐ１に移動し、第２先端部８０ｂは位置Ｐ２に移動する。位置Ｐ１およびＰ２にある先端部８０ａ，８０ｂは、第１および第２配線パターン５８，５９だけでなく、第１電流検出器に配線されている第３および第４配線パターン６２，６３とも導通する。したがって、第３および第４配線パターン６２，６３を介して第１電流検出器に電流が流れ、ロックリング１６がアンロック位置に移動したことが検出される。
本実施形態に係る発明の効果
【００６５】
本実施形態に係る像ブレ補正装置では、ロックリング１６の位置検出機能が備えられているため、補正装置を鏡筒等に組み込んだ後であっても、ロックリング１６の位置を確認することができる。したがって、補正リングがロックされているか否かの確認が容易となり、カメラの組み立ておよび調整を容易に行うことができる。また、カメラの起動時間等における撮影者の待ち時間（待機時間）を短縮することができる。
【００６６】
さらに、本実施形態に係る像ブレ補正装置では、摺動端子８０の各先端部８０ａ，８０ｂが、ロックリング１６に固定された回路基板５７の第１および第２配線パターン５８，５９に摺動しながら導通しているため、ＦＰＣの撓み部分を形成する必要がない。したがって、本実施形態に係る像ブレ補正装置は、回路基板５７の引き回しが簡単であり、ロックリング１６の回動用コイル４２からベース部１８への配線がシンプルである。
【００６７】
回路基板５７の引き回しが簡単であるため、ロックリング１６の形状を単純にでき、ロックリング１６の成形の難易度を低下させることができる。また、本実施形態のロックリング１６は、形状が単純であるため、耐久性に優れている。
【００６８】
あるいは、本実施形態に係る像ブレ補正装置では、ロックリング１６を回動させる際におけるＦＰＣ等の配線基板の曲げ伸ばしもないため、回路基板５７自体および回路基板５７と他部品との接点にかかる負荷を低減できる。
第２実施形態
【００６９】
図５は、本発明の第２実施形態に係る像ブレ補正装置１０の平面図である。第２実施形態に係る像ブレ補正装置１０は、ロックリング１６の外周側面の形状、ロックリング１６に固定された回路基板５７、回路基板５７の配線パターンを付勢する摺動端子８０、および不図示のメイン基板から像ブレ補正装置への配線方法等が一部異なる他は、第１実施形態に係る像ブレ補正装置１０と同様である。
【００７０】
図３に示すように、第２実施形態に係る像ブレ補正装置１０では、回路基板５７の各配線パターンと導通する接触端子８０は、ロックリング１６の意図しない移動を防止するラッチバネを兼ねている。接触端子８０は、互いに絶縁された状態で第２ベース部１８ｂに固定されている第１ラッチ端子８０ａおよび第２ラッチ端子８０ｂからなる。
【００７１】
ラッチ端子８０ａ，８０ｂは、ロックリング１６が、回動用コイル４２等によって構成される回動用ボイスコイルモータからの駆動力ではなく、鏡筒２に与えられた衝撃等の意図しない力によって移動することを防止している。ロックリング１６がアンロック位置にある場合には、第２ラッチ端子８０ｂの端部が、ロックリング１６の外周側面に形成された凹部６６ｂに係合しており、ロックリング１６が衝撃等によって回動することを規制している。また、ロックリング１６が、ロック位置にある場合には、第１ラッチ端子８０ａの端部が、ロックリング１６の外周側面に形成された凹部６６ａに係合し、ロックリング１６が衝撃等によって回動することを規制する。
【００７２】
また一方で、ラッチ端子８０ａ，８０ｂは、回動用コイル４２や、ロックリング１６の位置検出回路に電流を流すための摺動端子８０を構成している。第２ベース部１８ｂ上には、ラッチ端子８０ａ，８０ｂの固定位置に近接して、中継回路基板７０が固定されている。ラッチ端子８０ａ，８０ｂは、中継回路基板７０の配線パターンと電気的に接続されている。中継回路基板７０は、鏡胴３内に設けられたメイン基板（不図示）に対して電気的に接続されている。メイン基板（不図示）にはレンズ制御部が備えられており、当該レンズ制御部は、ラッチ端子８０ａ，８０ｂを介して、回動用コイル４２等流れる電流の大きさおよび方向を制御することができる。
【００７３】
ロックリング１６には、回路基板５７が固定されている。回路基板５７は、ロックリング１６の第１ベース部１８ａ側の側面上に、回動用コイル４２に近接する位置から、時計回りに、概ね半周にわたって設置されている。また、回路基板５７の一部は、ロックリング１６の外周側面上に折り曲げられて固定されている。
【００７４】
本実施形態における回路基板５７は、当該回路基板５７上においては互いに絶縁されている第１配線パターン５８と第２配線パターン５９とを有する。第１配線パターン５８は、光軸Ｉに垂直な面に位置する一方のパターン端部において、回動用コイル４２の一方のコイル端部４２ａと接続されている。また、第１配線パターン５８は、ロックリング１６の外周側面上に位置する他方のパターン端部において、第１ラッチ端子８０ａと接触している。
【００７５】
それに対して、第２配線パターン５９は、光軸Ｉに垂直な面に位置する一方のパターン端部において、回動用コイル４２の他方のコイル端部４２ｂと接続されている。また、第２配線パターン５９は、ロックリング１６の外周側面上に位置する他方のパターン端部において、第２ラッチ端子８０ｂと接触している。
【００７６】
図６は、第２実施形態に係るロックリング１６の要部拡大図であり、ロックリング１６の外周側面上に形成された凹部６６ａ付近の拡大図である。ロックリング１６の凹部６６ａ付近の外周側面には、第１配線パターン５８の他に、第３配線パターン６０および第５配線パターン６２が形成されている。また、図示しないが、ロックリング１６の凹部６６ｂ付近の外周側面には、第２配線パターン５９の他に、第４配線パターンおよび第６配線パターンが形成されている。
【００７７】
第３〜第６配線パターンは、第１実施形態と同様に、中継回路もしくは摺動端子等の適切な配線手段によって、メイン基板（不図示）に備えられた不図示の電流検出器に接続されている。
【００７８】
ロックリング１６がアンロック位置とロック位置との間を移動するのに伴って、図６において仮想線で表されている第１ラッチ端子８０ａは、ロックリング１６の外周面上の位置Ｐ１から位置Ｐ３へと移動する。この際、第１先端部８０ａは、図６に示すように、第１配線パターン５８との接触を保ちながら、回路基板５７上の範囲Ｅ３内を摺動する。
【００７９】
また第１ラッチ端子８０ａは、ロックリング１６がアンロック位置にある場合にのみ、接点部６０ａと接触し、第３配線パターン６０と導通する。また、第１ラッチ端子８０ａは、ロックリング１６がロック位置にある場合にのみ、第５配線パターン６２の接点部６２ａと接触し、第５配線パターン６２と導通する。なお、図示しないが、ロックリング１６の凹部６６ｂ付近の外周側面では、第２ラッチ端子８０ｂと、第２配線パターン５９と、第４および第６配線パターンとが、図６と対応する位置関係で配置されている。
本実施形態の効果
【００８０】
以上のような構成とすることにより、本発明の第２実施形態に係る像ブレ補正装置１０も、第１実施形態と同様に、ロックリング１６を回動させることができ、かつ、ロックリング１６の位置を検出することができる。
【００８１】
また、本実施形態の像ブレ補正装置１０では、第１実施形態に係る像ブレ補正装置が奏する効果に加えて、以下の効果を奏する。すなわち、本実施形態に係る摺動端子８０を構成するラッチ端子８０ａ，８０ｂは、ロックリング１６が衝撃等によって意図しない回動を発生することを防止できる。本実施形態では、ラッチ端子８０ａ，８０ｂは、ロックリング１６への配線と、ラッチバネを兼ねているため、ラッチバネとしての機能のみを有するラッチバネを使用する従来技術に係る像ブレ補正装置に対して、部品数を減少させることができる。したがって、本実施形態に係る像ブレ補正装置は、構造がシンプルであり、製造も容易である。
【００８２】
また、本実施形態に係る第１ラッチ端子８０ａの端部は、各ラッチ端子を第２ベース部１８ｂへ固定する固定部と光軸Ｉとを結ぶ軸を対称軸として、第２ラッチ端子８０ｂの端部に対して略対象に配置されている。したがって、ラッチ端子８０ａ，８０ｂがロックリング１６を付勢する力を分散させることができ、ロックリング１６の回動がスムーズである。
【図面の簡単な説明】
【００８３】
【図１】図１は、本願発明に係る像ブレ補正装置を搭載したカメラの断面図である。
【図２】図２は、図１のカメラに搭載された本発明の第１実施形態に係る像ブレ補正装置の拡大断面図である。
【図３】図３は、図２に示す像ブレ補正装置の光軸方向からの平面図である。
【図４】図４は、図３の平面図の一部を拡大した要部拡大図である。
【図５】図５は、本発明の第２実施形態に係る像ブレ補正装置の平面図である。
【図６】図６は、図５の像ブレ補正装置の要部拡大図である。
【符号の説明】
【００８４】
２…  レンズ鏡筒
４…  鏡胴
１２…  ブレ補正レンズ群
１４…  レンズ保持枠
１６…  ロックリング
１８…  ベース部
５７…  回路基板
５８…  第１配線パターン
５９…  第２配線パターン
６０…  第３配線パターン
６１…  第４配線パターン
６２…  第５配線パターン
６３…  第６配線パターン
８０…  摺動端子
【図１】
2009116033.tif 000003
【図２】
2009116033.tif 000004
【図３】
2009116033.tif 000005
【図４】
2009116033.tif 000006
【図５】
2009116033.tif 000007
【図６】
2009116033.tif 000008